(57)【要約】【課題】  従来のパチスロ機が備える照明装置では、発光された光が、この光を用いた演出を強く意識させるほど遊技者の目に届かなかった。また、遊技者の顔がある方向に基板表面を向ける場合には、前面ドアの樹脂成型やボスの強度確保が難しかった。【解決手段】  ホルダ６０の取付部６２は、保持部６１に対して所定角度傾いている。取付部６２の孔６２ｂに位置決めボス７２が嵌合され、孔６２ａを介してネジ８が取付ボス７１にネジ止めされて、ホルダ６０はドアベース１ａに取り付けられる。取付部６２はドアベース１ａにおけるホルダ６０の取付面に対して平行に位置しており、保持部６１はドアベース１ａにおけるホルダ６０の取付面に対して上方に向けて所定角度傾いている。このため、保持部６１に保持された照明用基板６５のＬＥＤ６５ｃは、ドアベース１ａの取付面に対して所定角度傾き、遊技者の顔がある方に向く。【選択図】  図９
2007307186.tif 000002
【特許請求の範囲】
【請求項１】
遊技に用いられる機器を収納する本体と、この本体の前面で発光する照明装置とを備えた遊技機において、
前記照明装置は、
基板表面に垂直な方向に発光する光源が搭載された照明用基板と、
この照明用基板を保持する保持部、およびこの保持部により保持された前記照明用基板の前記基板表面に対して所定角度傾けられた前記本体に取り付けられる取付部を備えたホルダと
から構成されていることを特徴とする遊技機。
【請求項２】
前記ホルダは、保持した前記照明用基板における前記光源の前方の周囲を囲み、前記光源から遠ざかるのに連れて広がる断面開口形状を有した光ガイド部を備えていることを特徴とする請求項１に記載の遊技機。
【請求項３】
前記取付部は一対の孔を有し、
前記本体は、
前記取付部が有する一方の前記孔を介して前記取付部がネジ止めされるネジ溝を先端に有し、前記取付部の背面とこの背面から最も遠い前記保持部の縁との間よりも長い高さを有する取付ボスと、
前記取付部が有する他方の前記孔に嵌合することで前記取付部の取り付け位置を決める位置決めボスと
を備えることを特徴とする請求項１または請求項２に記載の遊技機。
【請求項４】
前記ホルダの前方に位置して前記本体に取り付けられ、前記光源で発光された光を透過する透過面を前記基板表面と平行に有するレンズカバーを備えたことを特徴とする請求項１から請求項３の何れか１項に記載の遊技機。
【発明の詳細な説明】
【技術分野】
【０００１】
本発明は、本体の前面で発光する照明装置を備える遊技機に関するものである。
【背景技術】
【０００２】
従来、このような遊技機としては、例えば、リールの回転を遊技者の操作に応じて停止させるスロットマシンで、いわゆるパチスロ機と称される下記の特許文献１に開示されたものがある。このパチスロ機では、遊技媒体であるメダルが遊技に賭けられてスタートレバーが操作されると、複数の役の中から当選役が決定され、続いて複数列に配列されたリールが回転を開始する。各リールに対応して設けられた停止ボタンが操作されると、その操作タイミングと当選役とに応じてリールの回転が停止する。この際、各リールの外周面に表されたシンボルの組合せが、当選役に対応する組合せであるときは、メダルの払い出しが行われる。また、ボーナスといった特定の当選役に係る特定の図柄組合せが停止表示して入賞が成立すると、ボーナス遊技といった遊技者に有利な遊技状態に遊技が移行する。
【０００３】
パチスロ機の本体の内部には、上記各リールを備えたリール装置や、パチスロ機を電気的に制御する制御装置等の、遊技に用いられる機器が設けられている。また、本体の筐体前面には、前面扉体が開閉自在に取り付けられている。この前面扉体には各種機能部材ユニットが取り付けられており、機能部材ユニットの中には照明装置を備えたものがある。例えば、前面扉体の両端の上部から下部にかけて縦長に設けられたサイドレンズユニットは、装飾部材としてサイドレンズカバーを備えており、サイドレンズカバー背後の前面扉体には照明装置が配置されている。照明装置は、光源であるＬＥＤ（発光ダイオード）が搭載された平板状のＬＥＤ用基板を備え、このＬＥＤ用基板は前面扉体の両端前面に基板表面がほぼ正面に向けられて取り付けられている。照明装置は、当選役や遊技状態等に応じて駆動されてＬＥＤを発光させ、各ＬＥＤの発光態様の組合せにより、様々な演出を行う。ＬＥＤで発光した光は、基板表面に垂直な方向、つまり、前面扉体の両端前面の前方に出射され、サイドレンズカバーに取り付けられたレンズを通して、遊技者に視認される。
【特許文献１】特開２００４−２４４４５号公報（段落［００２９］〜［００３２］，［００５９］〜［００６２］参照）
【発明の開示】
【発明が解決しようとする課題】
【０００４】
しかしながら、上記従来の遊技機が備える照明装置のように、基板表面に垂直な方向に発光するＬＥＤを搭載したＬＥＤ用基板が、その基板表面を遊技機のほぼ正面に向けて取り付けられる構成では、ＬＥＤ用基板に取り付けられたＬＥＤで発光した光が、座席に座って遊技を行う遊技者の顔がある方向で十分な強度を有していないことがあった。この結果、ＬＥＤから発光された光が、この光を用いた演出を強く意識させるほど遊技者の目に届かずに、照明装置により行われる演出のインパクトが弱くなる虞があった。
【０００５】
一方、遊技者の顔がある方向に基板表面を向けてＬＥＤ用基板を取り付けようとすると、ＬＥＤ用基板を前面扉体に固定するためのボスを、前面扉体におけるＬＥＤ用基板の取付面に対して傾斜させる必要がある。しかし、ボスをこのように傾斜させた前面扉体を樹脂成型する金型はその製作が難しくなり、また、取付面に対して傾斜したボスでは十分な強度を確保できない虞がある。このため、取付面に対してボスを傾斜させる構成とするのは困難であり、平板状のＬＥＤ用基板を取付面に対して傾斜させて取り付けることには問題があった。
【課題を解決するための手段】
【０００６】
本発明はこのような課題を解決するためになされたもので、遊技に用いられる機器を収納する本体と、この本体の前面で発光する照明装置とを備えた遊技機において、照明装置は、基板表面に垂直な方向に発光する光源が搭載された照明用基板と、この照明用基板を保持する保持部、およびこの保持部により保持された照明用基板の基板表面に対して所定角度傾けられた本体に取り付けられる取付部を備えたホルダとから構成されていることを特徴とする。
【０００７】
この構成によれば、保持部により保持された照明用基板の基板表面に対して取付部が傾く所定角度を、本体に取付部が取り付けられた状態において基板表面が座席に座った遊技者の顔がある方向を向く角度とすることにより、取付部を本体に対して傾斜させることなく、照明用基板の基板表面を遊技者の顔がある方向に向けることが出来る。このため、ホルダを本体に固定するためのボスを本体における取付面に対して傾斜させる必要がない。この結果、ボスの立設角度を従来通りの本体前面に垂直な構成として、樹脂成型金型の製作容易性およびボスの強度を確保しつつ、照明用基板において発光された光の、遊技者の顔がある方向における強度を高めて、照明装置により行われる演出を遊技者に強く意識させ、演出にインパクトを持たせることができる遊技機が提供される。
【０００８】
また、本発明は、ホルダが、保持した照明用基板における光源の前方の周囲を囲み、光源から遠ざかるのに連れて広がる断面開口形状を有した光ガイド部を備えていることを特徴とする。
【０００９】
この構成によれば、光源で発光された光は、光ガイド部で反射されて、遊技者の顔がある方向に集められる。このため、遊技者の顔がある方向における光の強度を高めることができる。この結果、照明装置により行われる演出を遊技者により強く意識させて、より大きなインパクトを演出に持たせることができる。
【００１０】
また、本発明は、取付部が一対の孔を有し、本体が、取付部が有する一方の孔を介して取付部がネジ止めされるネジ溝を先端に有し、取付部の背面とこの背面から最も遠い保持部の縁との間よりも長い高さを有する取付ボスと、取付部が有する他方の孔に嵌合することで取付部の取り付け位置を決める位置決めボスとを備えることを特徴とする。
【００１１】
この構成によれば、取付部の他方の孔に位置決めボスを嵌合させて本体に対するホルダの位置を固定してから、一方の孔を介して取付部を取付ボスにネジ止めすることにより、本体に対するホルダの位置決めをした状態でホルダのネジ止め作業を行うことができ、ホルダを容易に本体に取り付けることができる。
【００１２】
また、本発明は、ホルダの前方に位置して本体に取り付けられ、光源で発光された光を透過する透過面を基板表面と平行に有するレンズカバーを備えたことを特徴とする。
【００１３】
この構成によれば、基板表面の光源で発光された光がレンズカバーを通過する際に遊技者の顔がある方向と異なる方向に屈折して、光源で発光された光の、遊技者の顔がある方向における強度が低下するのを防止することができる。
【発明の効果】
【００１４】
このような本発明によれば、上記のように、樹脂成型金型の製作容易性およびボスの強度を確保しつつ、照明装置により行われる演出を遊技者に強く意識させ、演出にインパクトを持たせることができる遊技機が提供される。
【発明を実施するための最良の形態】
【００１５】
次に、本発明を実施するための最良の形態について説明する。
【００１６】
図１は、本実施形態によるパチスロ機１の外観を示す正面図である。
【００１７】
パチスロ機１は、筐体の前面に前面ドア１Ａを備えて構成されている。前面ドア１Ａは、パチスロ機１の図示しない筐体の前面開口を塞ぐ扉体であり、その片側が筐体の前面の片側に開閉自在に軸支される。筐体内部には、パチスロ機１における遊技動作を制御する制御回路が構成されたメイン制御基板や、パチスロ機１で行われる遊技の演出に用いられるＬＥＤやランプの制御等を行うサブ制御基板をはじめ、遊技に用いられる各種機器が収納されている。前面ドア１Ａおよび筐体は、パチスロ機１の本体を構成している。
【００１８】
前面ドア１Ａの中央部にはミニリール表示窓部１３が設けられている。ミニリール表示窓部１３の背後の筐体内部には、３個の図示しないミニリールが回転自在に設けられている。各ミニリールの外周面には複数種類の図柄（以下、シンボルという）から成るシンボル列が描かれている。ミニリール表示窓部１３に形成された図示しない３個の表示窓を通して、各ミニリールの外周面に描かれたシンボルがそれぞれ３個ずつ観察される。また、ミニリール表示窓部１３の上方には、透明液晶からなる２０インチの大型の液晶表示装置１１が設けられている。液晶表示装置１１の表示画面には、演出画像などの種々の情報が表示される。
【００１９】
また、ミニリール表示部１３の下方右側には、遊技者が遊技媒体であるメダルを入れるための投入口１２が設けられている。また、ミニリール表示窓部１３の左側には、１貯留メダル投入スイッチ１４ａ、３貯留メダル投入スイッチ１４ｂ、選択ボタン１５ａ、および決定ボタン１５ｂが設けられている。貯留メダル投入スイッチ１４ａ，１４ｂは、メダルがクレジットされている際にメダル投入口１２へのメダル投入に代えて１回のゲームに１枚，３枚のメダルを賭ける際に使用される。選択ボタン１５ａは、液晶表示装置１１における表示項目の選択に用いられる。決定ボタン１５ｂは、選択ボタン１５ａで選択された液晶表示装置１１における表示項目の決定に用いられる。
【００２０】
また、ミニリール表示窓部１３の下方には、左側から、貯留メダル精算ボタン１６、スタートレバー１７、および停止ボタン１８ａ〜１８ｃが設けられている。貯留メダル精算ボタン１６は機械内部にクレジットされているメダルを精算する際に使用される。スタートレバー１７の操作により、ミニリール表示窓部１３のミニリールの回転が一斉に開始する。停止ボタン１８ａ〜１８ｃは、ミニリールに対応して配置されており、これらミニリールの回転が一定速度に達したとき操作が有効化され、遊技者の操作に応じてミニリールの回転を停止する。
【００２１】
また、前面ドア１Ａの正面下部には腰部ガラスケース３が設けられており、この腰部ガラスケース３の下方にはメダル受皿１９が設けられている。メダル受皿１９はメダル払出口１９ａから払い出されるメダルを貯めるものである。また、前面ドア１Ａの正面上部には、上部装飾ランプを覆う上部装飾ランプカバー２１が取り付けられている。上部装飾ランプカバー２１の両側方には、スピーカから出力される音が放音される放音口２２ａが形成されたスピーカカバー２２，２２が設けられている。また、前面ドア１Ａの前面の両側部には、側部装飾ランプを覆うサイドレンズカバー２３が取り付けられている。
【００２２】
図２は、図１に示す腰部ガラスケース３を取り外した状態における前面ドア１Ａの一部分解斜視図である。なお、同図において、図１と同一または相当する部分には、同一符号を付してその説明は省略する。
【００２３】
腰部ガラスケース３はドアベース１ａに設けられた腰部ガラスブラケット３３に取り付けられている。腰部ガラスケース３は、図１および図２に示すように、上辺の幅方向中央部が上方に湾曲した略四角枠状を有している。腰部ガラスケース３の上辺の前面の両側部には、それぞれ腰部レンズカバー５１が取り付けられている。また、各腰部レンズカバー５１の背後のドアベース１ａには、一対の照明装置６が取り付けられている。上記の各スイッチ（１貯留メダル投入スイッチ１４ａ、３貯留メダル投入スイッチ１４ｂ）、各ボタン（選択ボタン１５ａ、および決定ボタン１５ｂ、貯留メダル精算ボタン１６、および停止ボタン１８ａ〜１８ｃ）、スタートレバー１７、メダル投入口１２、およびミニリール表示窓部１３は、操作を検知するスイッチや駆動回路が一体化されたユニットとして、ドアベース１ａの背面に取り付けられ、前面ドア１Ａを構成している。
【００２４】
図３は、腰部レンズカバー５１の周囲の腰部ガラスケース３の部分における前面ドア１Ａの一部断面図である。なお、同図において、図１および図２と同一または相当する部分には、同一符号を付してその説明は省略する。
【００２５】
腰部ガラスケース３は、腰部ガラス３１および腰部シート３２が取り付けられて一体化されており、この一体化されたものが腰部ガラスブラケット３３に取り付けられている。腰部ガラスブラケット３３の背後のドアベース１ａには、導光板３５が収納された導光板ケース３４が取り付けられている。腰部ガラス３１を照明する光源で発光された光は、この導光板３５により前方の腰部ガラス３１に導かれる。ドアベース１ａの前面には、導光板ケース３４を取り付けるためのベースボス４が設けられており、導光板ケース３４の背面にはケースボス３４ａが形成されている。導光板ケース３４は、ケースボス３４ａがベースボス４の孔に嵌入されて、ドアベース１ａに取り付けられている。
【００２６】
導光板ケース３４の上方には照明装置６が取り付けられており、照明装置６の前方には腰部レンズカバー５１が位置している。ＬＥＤ６５ｃから発せられた光は腰部レンズカバー５１を透過して、腰部ガラスケース３の前方から視認される。
【００２７】
図４は照明装置６の斜視図、図５は図４に示す照明装置６の背面図である。なお、各図において、図３と同一または相当する部分には、同一符号を付してその説明は省略する。
【００２８】
照明装置６は、照明用基板６５をホルダ６０で保持して構成されている。図４に示すように、照明用基板６５は平板状の基板の表面に光源として２個のＬＥＤ６５ｃを搭載して構成されている。また、図５に示すように、照明用基板６５の背面には１個のコネクタ６５ｂが取り付けられている。コネクタ６５ｂにはサブ制御基板に接続された図示しない配線が接続される。照明用基板６５上の各ＬＥＤ６５ｃは、サブ制御基板に構成されたサブ制御回路により点灯制御され、例えば、ミニリール表示窓部１３のミニリールによって表示されたシンボル組合せが、メダル払出口１９ａから払い出される組合せであるとか、遊技者に有利なボーナス遊技が行われる組合せである等の遊技状況に応じて、点灯制御される。
【００２９】
図６（ａ）はホルダ６０の背面図、同図（ｂ）はホルダ６０の平面図、同図（ｃ）はホルダ６０の正面図、同図（ｄ）はホルダ６０の右側面図である。なお、同図において、図４および図５と同一または相当する部分には、同一符号を付してその説明は省略する。
【００３０】
ホルダ６０は、樹脂成型によって形成され、照明用基板６５を保持する保持部６１と、ドアベース１ａに取り付けられる取付部６２とを備えている。保持部６１は、略直方体状をしており、この保持部６１の幅方向の両側にそれぞれ取付部６２が設けられている。保持部６１には、同図（ａ），（ｃ）に示すように一対の光ガイド部６１ａが開口している。右側の光ガイド部６１ａの右方には、図５に示すように照明用基板６５をネジ６３によりネジ止めするためのネジ孔６１ｂが形成されている。このネジ孔６１ｂの周囲には、同図（ａ）に示すように、照明用基板６５の基板表面に当接するリング状突部６１ｃが設けられている。
【００３１】
また、同図（ａ）に示すように、保持部６１の背面には、照明用基板６５の基板表面に当接する四角枠状突部６１ｄがリング状突部６１ｃと同じ突起高さで設けられている。また、左側の光ガイド部６１ａの左方における保持部６１の背面には、同図（ａ）に示すように、照明用基板６５を位置決めするための位置決め突起６１ｅが形成されている。照明用基板６５には、この位置決め突起６１ｅが嵌め込まれる切欠部６５ａ（図５参照）が設けられている。照明用基板６５は、図５に示すように、切欠部６５ａに位置決め突起６１ｅが嵌め込まれて保持部６１に対する位置決めがなされ、ネジ６３によるネジ止めが行われる。
【００３２】
取付部６２は、同図（ｄ）に示すように、保持部６１に対して所定角度、具体的には、ドアベース１ａに取付部６２が取り付けられた状態において、保持部６１の背面に取り付けられた照明用基板６５の基板表面が遊技者の顔がある方向を向く角度だけ傾いて、保持部６１の両側に樹脂成型されている。各取付部６２は、ホルダ６０がドアベース１ａに取り付けられるための一対の孔６２ａ，６２ｂをそれぞれ有している。
【００３３】
図７は、上記のホルダ６０に照明用基板６５が取り付けられて構成される照明装置６の横断面図である。なお、同図において、図４〜図６と同一または相当する部分には、同一符号を付してその説明は省略する。
【００３４】
同図に示すように、保持部６１が備える光ガイド部６１ａは、保持部６１に保持された照明用基板６５におけるＬＥＤ６５ｃの前方の周囲を囲み、ＬＥＤ６５ｃから遠ざかるのに連れて広がる断面開口形状を有している。
【００３５】
図８は、前面の腰部ガラスケース３および照明装置６を取り外した状態の前面ドア１Ａを示す斜視図である。なお、同図において、図１および図２と同一または相当する部分には、同一符号を付してその説明は省略する。
【００３６】
同図に示すように、前面ドア１Ａのドアベース１ａの上方には、照明装置６をドアベース１ａに取り付けるための取付ボス７１および位置決めボス７２が形成されている。取付ボス７１は、取付部６２の背面とこの背面から最も遠い保持部６１の縁との間の距離Ｌ（図９参照）よりも長い高さを有しており、先端にネジ溝が形成されている。取付ボス７１は取付部６２の一方の孔６２ａに対応して設けられており、位置決めボス７２は取付部６２の他方の孔６２ｂに対応して設けられている。また、取付ボス７１および位置決めボス７２の間のドアベース１ａには、ドアベース１ａの背面側から表面側に配線を通すための孔７３が形成されており、照明用基板６５の背面に設けられたコネクタ６５ｂはこの配線によってサブ制御基板に接続される。
【００３７】
図９はドアベース１ａへの照明装置６の取付状態を説明する図、 図１０は照明装置６がドアベース１ａに取り付けられた状態の前面ドア１Ａを示す斜視図である。なお、各図において、図１〜図８と同一または相当する部分には、同一符号を付してその説明は省略する。
【００３８】
図９に示すように、ホルダ６０は、取付部６２の孔６２ｂに位置決めボス７２が嵌合され、孔６２ａを介してネジ８が取付ボス７１にネジ止めされる。この結果、照明装置６は、図１０に示すように、腰部ガラスケース３の上辺の両脇に対応するドアベース１ａの前面の両側部に取り付けられる。取付部６２はドアベース１ａにおけるホルダ６０の取付面に対して平行に位置しており、保持部６１はドアベース１ａにおけるホルダ６０の取付面に対して上方に向けて所定角度傾いている。このため、図３に示すように、ドアベース１ａに取り付けられた照明装置６の前方には、腰部レンズカバー５１が位置し、腰部レンズカバー５１は、照明用基板６５のＬＥＤ６５ｃで発光された光を透過する透過面５１ａが照明用基板６５の基板表面と平行に位置している。よって、ＬＥＤ６５ｃから発せられた光は腰部レンズカバー５１の透過面５１ａを透過して、遊技者の顔に向けられる。
【００３９】
本実施形態によるパチスロ機によれば、上述したように、保持部６１により保持された照明用基板６５の基板表面に対して取付部６２が傾く所定角度を、ドアベース１ａに取付部６２が取り付けられた状態において基板表面が座席に座った遊技者の顔がある方向を向く角度とすることにより、取付部６２をドアベース１ａに対して傾斜させることなく、照明用基板６５の基板表面を遊技者の顔がある方向に向けることが出来る。このため、ホルダ６０をドアベース１ａに固定するための取付ボス７１および位置決めボス７２を、ドアベース１ａの取付面に対して傾斜させる必要がない。この結果、取付ボス７１および位置決めボス７２の立設角度を従来通りのドアベース１ａ前面に垂直な構成として、樹脂成型金型の製作容易性および取付ボス７１および位置決めボス７２の強度を確保しつつ、照明用基板６５において発光された光の、遊技者の顔がある方向における強度を高めて、照明装置６により行われる演出を遊技者に強く意識させ、演出にインパクトを持たせることができるパチスロ機が提供される。
【００４０】
また、本実施形態によるパチスロ機によれば、照明用基板６５のＬＥＤ６５ｃで発光された光は、光ガイド部６１ａで反射されて、遊技者の顔がある方向に集められる。このため、遊技者の顔がある方向における光の強度を高めることができる。この結果、照明装置６により行われる演出を遊技者により強く意識させて、より大きなインパクトを演出に持たせることができる。
【００４１】
また、本実施形態によるパチスロ機によれば、取付部６２の孔６２ｂに位置決めボス７２を嵌合させてドアベース１ａに対するホルダ６０の位置を固定してから、孔６２ａを介して取付部６２を取付ボス７１にネジ止めすることにより、ドアベース１ａに対するホルダ６０の位置決めをした状態でネジ８によるホルダ６０のネジ止め作業を行うことができ、ホルダ６０を容易にドアベース１ａに取り付けることができる。
【００４２】
また、本実施形態によるパチスロ機によれば、ＬＥＤ６５ｃで発光された光が照明用基板６５の基板表面と平行な腰部レンズカバー５１の透過面５１ａを透過するので、照明用基板６５の基板表面のＬＥＤ６５ｃで発光された光が腰部レンズカバー５１を通過する際に遊技者の顔がある方向と異なる方向に屈折して、ＬＥＤ６５ｃで発光された光の、遊技者の顔がある方向における強度が低下するのを防止することができる。
【００４３】
なお、上記実施の形態では、照明用基板６５の光源としてＬＥＤ６５ｃを用いた場合について説明したが、基板表面に垂直な方向に発光するのであれば光源の種類は任意であり、適宜変更して差し支えない。また、照明用基板６５の形状や搭載する光源の数や配置等も、基板表面に垂直な方向に発光するのであれば任意であり、適宜変更して差し支えない。また、保持部６１により保持された照明用基板６５の基板表面に対して所定角度傾けられて取付部６２がドアベース１ａに取り付けられるのであれば、保持部６１および取付部６２の形状も上記実施形態での構成には限定されない。
【産業上の利用可能性】
【００４４】
上記実施形態においては、本発明による遊技機をパチスロ機に適用した場合について説明したが、本体の前面で発光する照明装置を備える他の遊技機、例えばパチンコ機に本発明を適用することも可能である。このような遊技機に本発明を適用した場合においても上記実施形態と同様な作用効果が奏される。
【図面の簡単な説明】
【００４５】
【図１】本実施形態によるパチスロ機の外観を示す正面図である。
【図２】図１に示す腰部ガラスケースを取り外した状態における前面ドアの一部分解斜視図である。
【図３】腰部レンズカバーの周囲の腰部ガラスケースの部分における前面ドアの一部断面図である。
【図４】本実施形態による照明装置の斜視図である。
【図５】図４に示す照明装置の背面図である。
【図６】（ａ）はホルダの背面図、同図（ｂ）はホルダの平面図、同図（ｃ）はホルダの正面図、同図（ｄ）はホルダの右側面図である。
【図７】ホルダに照明用基板が取り付けられて構成される照明装置の横断面図である。
【図８】前面の腰部ガラスケースおよび照明装置を取り外した状態の前面ドアを示す斜視図である。
【図９】ドアベースへの照明装置の取付状態を説明する図である。
【図１０】照明装置がドアベースに取り付けられた状態の前面ドアを示す斜視図である。
【符号の説明】
【００４６】
１…前面ドア
１ａ…ドアベース
３…腰部ガラスケース
５１…腰部レンズカバー
５１ａ…透過面
６…照明装置
６０…ホルダ
６１…保持部
６１ａ…光ガイド部
６２…取付部
６２ａ、６２ｂ…孔
６５…照明用基板
６５ｃ…ＬＥＤ
７１…取付ボス
７２…位置決めボス
【図１】
2007307186.tif 000003
【図２】
2007307186.tif 000004
【図３】
2007307186.tif 000005
【図４】
2007307186.tif 000006
【図５】
2007307186.tif 000007
【図６】
2007307186.tif 000008
【図７】
2007307186.tif 000009
【図８】
2007307186.tif 000010
【図９】
2007307186.tif 000011
【図１０】
2007307186.tif 000012